(57)【特許請求の範囲】
【請求項１】
アルミ製既設フェンスの支柱以外の部材を除去して起立残存したアルミ製所定間隔の既設支柱と、該既設支柱に被嵌固定した断面中空にして上端にキャップを装着した同じくアルミ製の各新設支柱と、該新設支柱との交点でこれに対接した裏面壁をそれぞれ前面側からのネジによってネジ止めして該新設支柱に架設配置したアルミ製にして割型一方上下の胴縁と、上下の胴縁に対してスライド又はスナップイン装着することによってその前面を閉塞自在としたアルミ製にして割型他方上下の胴縁補助材と、該上下の胴縁補助材の前面に裏面からのネジによってネジ止めして幅方向所定間隔に配置した多数のアルミ製にして上端をキャップ閉塞した縦格子材と、上記上下の胴縁と胴縁補助材の長手方向端部を閉塞した端部キャップを備えてなり、上記既設支柱に対する新設支柱の被嵌固定を、該既設支柱の鋼製の補強芯を避けて、該補強芯の開口側の側面においてネジ止めすることによって行ってなることを特徴とするアルミ製改装フェンス。
【請求項２】
アルミ製既設フェンスの支柱以外の部材を除去して起立残存したアルミ製所定間隔の既設支柱と、該既設支柱に被嵌固定した断面中空にして対向方向に向けた張出条を備えて上端にキャップを装着したアルミ製にして割型一方の各新設支柱と、該新設支柱の上記張出条からのネジによってネジ止めして該新設支柱間に高さ方向所定間隔に架設した多数のアルミ製にして長手方向両端をキャップ閉塞した横格子材と、上記新設支柱にスライド又はスナップイン装着することによってその対向面をそれぞれ被覆したアルミ製にして割型他方の支柱カバーとを備えてなることを特徴とするアルミ製改装フェンス。
【請求項３】
上記既設支柱に対する新設支柱の被嵌固定を、該既設支柱の鋼製の補強芯を避けて、該補強芯の開口側の側面においてネジ止めすることによって行ってなることを特徴とする請求項２に記載のアルミ製改装フェンス。
【請求項４】
上記ネジ止めを、ターンナットによって行ってなることを特徴とする請求項１又は３に記載のアルミ製改装フェンス。
【発明の詳細な説明】
【技術分野】
【０００１】
本発明は改装フェンスに関し、特に既設のアルミ製フェンスを、新設のアルミ製フェンスに改装するアルミ製改装フェンスに関する。
【背景技術】
【０００２】
この種の改装フェンスとして、下記特許文献１は、既設の鋼製メッシュフェンスを、新設の鋼製グリッドフェンスに改装する改装フェンスを提案しており、これによれば、該改装フェンスは、メッシュフェンスの支柱以外の部材を除去し、必要に応じて上下中間位置で上方を切断除去することによって起立残存したハット形鋼による既設支柱と、該既設支柱を円筒パイプで被嵌し該円筒パイプ内にモルタルを充填し且つナットを埋込み設置した固定ベースと、該固定ベースに下端を被嵌して側面から上記ナットにネジを螺入して既設支柱に対して間接的に設置した鋼製の新設支柱と、該新設支柱に設置した継手によって該新設支柱に設置したグリッドフェンス本体とを備えたものとされている。
【先行技術文献】
【特許文献】
【０００３】
【特許文献１】特開２００６−２２５８９３号公報
【発明の概要】
【発明が解決しようとする課題】
【０００４】
この場合、上方を切断除去するも、既設支柱の一部を活用してフェンスの改装を行うことができ、例えば、公共施設、工場等のメッシュフェンスをグリッドフェンスに交換的に改装し得るが、既設支柱を常に切断する必要があること、既設切断支柱に  型枠を設置し、モルタルを用いる湿式工事によって、新設支柱の固定ベースを形成する必要があること、湿式工事に際してナットを埋込む必要があること、従って、新設支柱の固定のために新設支柱から螺入するネジを、新設支柱から目視できないナットに螺入する必要があり、また、ナットにモルタル硬化前後に位置ズレが生じる可能性があり、位置ズレが生じると、新設支柱からのネジ止めが困難になること等の問題点がある。このため、改装工事が煩雑にして時間が掛かるものとなるとともに困難を伴う可能性がある。
【０００５】
一方、鋼製のスチールフェンスからアルミ製のフェンスへの転換が、本出願人等の努力によってなされた結果、今日では、これらを含めたアルミ製のフェンスが老朽化する傾向があるところ、これらアルミ製のフェンスを、更にアルミ製フェンスに改装することができれば、既存フェンスの資源リサイクルにも有益であるが、上記のような煩雑性や困難性を伴う改装構造を採用することはできず、アルミからアルミへのフェンス改装に適した改装構造とする必要がある。
【０００６】
本発明はかかる事情に鑑みてなされたもので、その解決課題とするところは、可及的簡易にして確実に改装工事をなし得るとともに、アルミ製であることによってその接合に用いる多数のネジの露出を回避して、縦格子又は横格子による格子面を有する外観に優れたアルミ製改装フェンスを提供するにある。
【課題を解決するための手段】
【０００７】
上記課題に沿って本発明は、既存フェンスにおけるアルミ製の既設支柱を、例えばキャップを除去し、必要に応じて高さをやや短寸化するように上方を切断除去する程度の措置を行うことがあるも、これを可及的にそのままとするように、新設支柱設置の芯材として用い、これに新設支柱を被嵌固定する一方、改装フェンスを上記縦格子の格子面とする場合、多数の縦格子を上下の胴縁補助材に該胴縁補助材側から縦格子に対するネジ螺入によってネジ止めした仕切体を形成し、これを、裏面壁から新設支柱に対するネジ螺入によって該新設支柱の前面に架設配置した胴縁に固定するようにするとともに該固定を、胴縁に対する胴縁補助材のスライド又はスナップイン装着によって行い且つ胴縁と胴縁補助材の長手方向端部、各縦格子の上端をキャップで閉塞するようにして、改装工事を容易且つ確実になし得るものとするとともにアルミ製とすることによってその接合に用いるネジの露出を解消し且つ同じくアルミ製とすることによって長手方向端部に開口する断面を閉塞して、外観に優れた改装フェンスを形成するようにし、さらに、上記既設支柱に対する新設支柱の固定を、該既設支柱に用いられていることある鋼製の補強芯を避けた同じくネジ止めによって容易且つ確実に行ったものとしたものであって、即ち、請求項１に記載の発明を、アルミ製既設フェンスの支柱以外の部材を除去して起立残存したアルミ製所定間隔の既設支柱と、該既設支柱に被嵌固定した断面中空にして上端にキャップを装着した同じくアルミ製の各新設支柱と、該新設支柱との交点でこれに対接した裏面壁をそれぞれ前面側からのネジによってネジ止めして該新設支柱に架設配置したアルミ製にして割型一方上下の胴縁と、上下の胴縁に対してスライド又はスナップイン装着することによってその前面を閉塞自在としたアルミ製にして割型他方上下の胴縁補助材と、該上下の胴縁補助材の前面に裏面からのネジによってネジ止めして幅方向所定間隔に配置した多数のアルミ製にして上端をキャップ閉塞した縦格子材と、上記上下の胴縁と胴縁補助材の長手方向端部を閉塞した端部キャップを備えてなり、上記既設支柱に対する新設支柱の被嵌固定を、該既設支柱の鋼製の補強芯を避けて、該補強芯の開口側の側面においてネジ止めすることによって行ってなることを特徴とするアルミ製改装フェンスとしたものである。
【０００８】
請求項２に記載の発明は、改装フェンスを上記横格子の格子面とする場合、多数の横格子を新設支柱の対向方向に張出し突出した張出条に該張出条から横格子に対するネジ螺入によって、既設支柱に被嵌固定した新設支柱に固定して仕切体を形成し、この仕切体形成後に支柱本体に支柱カバーを固定して張出条を被覆するとともに該固定を、支柱本体に対する支柱カバーのスライド又はスナップイン装着によって行い且つ支柱本体の上端と各横格子の長手方向端部をキャップで閉塞するようにして、同じく、改装工事を容易且つ確実になし得るものとするとともにアルミ製とすることによってその接合に用いるネジの露出を解消し且つ同じくアルミ製とすることによって長手方向端部に開口する断面を閉塞して、外観に優れた改装フェンスを形成するようにしたものであって、即ち、これを、アルミ製既設フェンスの支柱以外の部材を除去して起立残存したアルミ製所定間隔の既設支柱と、該既設支柱に被嵌固定した断面中空にして対向方向に向けた張出条を備えて上端にキャップを装着したアルミ製にして割型一方の各新設支柱と、該新設支柱の上記張出条からのネジによってネジ止めして該新設支柱間に高さ方向所定間隔に架設した多数のアルミ製にして長手方向両端をキャップ閉塞した横格子材と、上記新設支柱にスライド又はスナップイン装着することによってその対向面をそれぞれ被覆したアルミ製にして割型他方の支柱カバーとを備えてなることを特徴とするアルミ製改装フェンスとしたものである。
【０００９】
請求項３に記載の発明は、上記に加えて、上記既設支柱に対する新設支柱の固定を、該既設支柱に用いられていることある鋼製の補強芯を避けた同じくネジ止めによって容易且つ確実に行ったものとするように、これを、上記既設支柱に対する新設支柱の被嵌固定を、該既設支柱の鋼製の補強芯を避けて、該補強芯の開口側の側面においてネジ止めすることによって行ってなることを特徴とする請求項２に記載のアルミ製改装フェンスとしたものである。
【００１０】
請求項４に記載の発明は、同じく上記に加えて、該新設支柱のネジ止めを、ターンナットを用いることによって、既設支柱を被嵌して新設支柱の任意位置でネジ固定をなし得るとともに該ネジ固定に際して既設支柱と新設支柱に透孔を透設すれば足り、また、該ネジ固定は、新設支柱からのネジを既設支柱の中空部に挿入してその対向壁を挟んだナットに強固にして簡易且つ確実に行ったものとするように、これを、上記ネジ止めを、ターンナットによって行ってなることを特徴とする請求項１又は３に記載のアルミ製改装フェンスとしたものである。
【００１１】
本発明は、これらをそれぞれ発明の要旨として上記課題解決の手段としたものである。
【発明の効果】
【００１２】
本発明は以上のとおりとしたから、請求項１に記載の発明は、既存フェンスにおけるアルミ製の既設支柱を、例えばキャップを除去し、必要に応じて高さをやや短寸化するように上方を切断除去する程度の措置を行うことがあるも、これを可及的にそのままとするように、新設支柱設置の芯材として用い、これに新設支柱を被嵌固定する一方、多数の縦格子を上下の胴縁補助材に該胴縁補助材側から縦格子に対するネジ螺入によってネジ止めした仕切体を形成し、これを、裏面壁から新設支柱に対するネジ螺入によって該新設支柱の前面に架設配置した胴縁に固定するようにするとともに該固定を、胴縁に対する胴縁補助材のスライド又はスナップイン装着によって行い且つ胴縁と胴縁補助材の長手方向端部、各縦格子の上端をキャップで閉塞するようにして、改装工事を容易且つ確実になし得るものとするとともにアルミ製とすることによってその接合に用いるネジの露出を解消し且つ同じくアルミ製とすることによって長手方向端部に開口する断面を閉塞して、外観に優れた、縦格子の格子面とし、さらに、既設支柱に対する新設支柱の固定を、該既設支柱に用いられていることある鋼製の補強芯を避けた同じくネジ止めによって容易且つ確実に行ったものとすることができるアルミ製改装フェンスを提供することができる。
【００１３】
請求項２に記載の発明は、既存フェンスにおけるアルミ製の既設支柱を、例えばキャップを除去し、必要に応じて高さをやや短寸化するように上方を切断除去する程度の措置を行うことがあるも、これを可及的にそのままとするように、新設支柱設置の芯材として用い、これに新設支柱を被嵌固定する一方、多数の横格子を新設支柱の対向方向に張出し突出した張出条に該張出条から横格子に対するネジ螺入によって、既設支柱に被嵌固定した新設支柱に固定して仕切体を形成し、この仕切体形成後に支柱本体に支柱カバーを固定して張出条を被覆するとともに該固定を、支柱本体に対する支柱カバーのスライド又はスナップイン装着によって行い且つ支柱本体の上端と各横格子の長手方向端部をキャップで閉塞するようにして、同じく、改装工事を容易且つ確実になし得るものとするとともにアルミ製とすることによってその接合に用いるネジの露出を解消し且つ同じくアルミ製とすることによって長手方向端部に開口する断面を閉塞して、外観に優れた、横格子の格子面としたアルミ製改装フェンスを提供することができる。
【００１４】
請求項３に記載の発明は、上記に加えて、上記既設支柱に対する新設支柱の固定を、該既設支柱に用いられていることある鋼製の補強芯を避けた同じくネジ止めによって容易且つ確実に行ったものとすることができる。
【００１５】
請求項４に記載の発明は、同じく上記に加えて、該新設支柱のネジ止めを、ターンナットを用いることによって、既設支柱を被嵌して新設支柱の任意位置でネジ固定をなし得るとともに該ネジ固定に際して既設支柱と新設支柱に透孔を透設すれば足り、また、該ネジ固定は、新設支柱からのネジを既設支柱の中空部に挿入してその対向壁を挟んだナットに強固にして簡易且つ確実に行ったものとすることができる。
【図面の簡単な説明】
【００１６】
【図１】改装フェンスの改装工程を示す工程図である。
【図２】改装フェンスの正面図である。
【図３】図２の改装フェンスの側面図である。
【図４】図２の改装フェンス端部の横断面図である。
【図５】図２の改装フェンスの構造を示す分解斜視図である。
【図６】他の例の改装フェンスの正面図である。
【図７】図６の改装フェンスの側面図である。
【図８】図６の改装フェンス端部の横断面図である。
【図９】図６の改装フェンスの構造を示す分解斜視図である。
【発明を実施するための形態】
【００１７】
以下図面の例に従って本発明を更に具体的に説明すれば、Ａは改装フェンスであり、該改装フェンスＡは、図１に示すように、既設フェンスＢの支柱以外の部材を除去して起立残存したアルミ製所定間隔の既設支柱１と、該既設支柱１に被嵌固定した同じくアルミ製の各新設支柱２を用い、該新設支柱２に対して格子材４を配置して改装を行ったアルミ製のものとしてある。
【００１８】
即ち、既設フェンスＢは、コンクリート、ブロック等による低壁をなす基礎に対してアルミ押出材を加工した中空断面のアルミ製の既設支柱１を起立し、該既設支柱１に対して適宜構造の仕切パネル１１を配置したものとしてあるところ、該フェンスＢの改装のために、その仕切パネル１１、その支持用のブラケット等の支持金具等の部材を全て除去して既設支柱１のみを起立残存した状態とし、本例にあっては該既設支柱１の上端に嵌着配置されたキャップ１２を除去して、既設支柱１の断面形状から前後左右に突出する部材が存在しないようにするとともに、本例にあって新設支柱２のキャップ２６における後述の嵌合脚を嵌合可能とするために、該既設支柱１の高さをやや短寸化するように上方を該嵌合脚の高さ分切断除去した上、該既設支柱１を固定ベースとして改装フェンスＡに改装するものとしてある。
【００１９】
図２乃至図５において、改装フェンスＡは、縦格子の格子面としたものとしてあり、該改装フェンスＡは、上記既設支柱１に被嵌固定した新設支柱２を、断面中空にして上端にキャップ２６を装着したアルミ製、即ち、アルミ押出材を加工したものを用い、該新設支柱２と、その交点でこれに対接した裏面壁をそれぞれ前面側からのネジ６によってネジ止めして該新設支柱２に架設配置したアルミ製にして割型一方上下の胴縁３と、上下の胴縁３に対してスライド又はスナップイン装着することによってその前面を閉塞自在としたアルミ製にして割型他方上下の胴縁補助材３１と、該上下の胴縁補助材３１の前面に裏面からのネジ６によってネジ止めして幅方向所定間隔に配置した多数のアルミ製にして上端をキャップ４１閉塞した縦格子材４と、上記上下の胴縁３と胴縁補助材３１の長手方向端部を閉塞した端部キャップ３３を備えたものとしてある。
【００２０】
本例にあって新設支柱２は、既設支柱１の外形より側面を長くして前後に矩形とし且つ高さを既設支柱１と略同高とした中空の断面形状のアルミ押出材によるものとしてあり、その中空部の後方を既設支柱１の受入部位とするとともにその片側の側面に一対の既設支柱対接リブ２１を配置する一方、前面を胴縁３との対接面としてその幅方向中央にネジ受用の厚肉部位を配置したものとし、更に側面の前後中間位置に既設支柱１の前後幅に応じて、新設支柱２による既設支柱１の被嵌時にその受入れをスムーズにする受入ガイドをなす対向突条２２を配置したものとしてある。
【００２１】
胴縁３は、前面壁に上下に一対のスライド条又はスナップイン条、本例にあっては、上下に対向して断面Ｃ字溝を形成する一対のスライド条３２を配置した中空の断面形状にして、胴縁補助材３１とともに一体的な胴縁を形成する割型一方の、同じくアルミ押出材によるものとしてあり、胴縁補助材３１は、起立壁とその裏面（前後の後面）に、同じくスライド条又はスナップイン条、本例にあっては上記胴縁のスライド条３２に合せた上下に対向して上記断面Ｃ字溝にスライド嵌合自在のスライド条３２を配置したＣ字状の断面形状にして、上記胴縁を形成する割型他方の、同じくアルミ押出材によるものとしてあり、このとき、上記胴縁３及び胴縁補助材３１は、そのスライド条３２の突出長さ乃至そのスライド嵌合時の双方間の空間幅を、ネジ頭を収納自在とする寸法のものとしてある。
【００２２】
縦格子材４は、上記縦格子面を形成する、本例にあって、幅方向中央の前後面間に補強仕切を介設した幅広の中空板状をなす断面形状のアルミ押出材によるものとしてあり、その中空部後面側にネジ受用の厚肉部乃至一対のリブを配置したものとしてある。
【００２３】
新設支柱２は、その上記中空部の受入ガイドの対向突条２２より後方に既設支柱１を受入れるように既設支柱１の上端から新設支柱２を落し込み状にして、該既設支柱１を被嵌固定してあり、このとき、該新設支柱１の被嵌は、その内側に上記既設支柱対接リブ２１を配置したことによって、双方の面接を避けてその落し込みをスムーズになし得るものとしてある。
【００２４】
上記既設支柱１に対する新設支柱２の被嵌固定は、これを、該既設支柱１の鋼製の補強芯１３を避けて、該補強芯１３の開口側の側面においてネジ止めすることによって行ったものとし、また、該ネジ止めは、これを、ターンナット５によって行ったものとしてある。
【００２５】
即ち、既設支柱１は、多くの場合、補強芯１３として鋼製のＣ字材を起立し、このＣ字材を下端に受入れるように、その設置を行ってあり、この場合、該補強芯１３があると、ネジ止めの障害となるので、これを避けて該新設支柱２のネジ止めを行うようにしてあるとともに該ネジ止めに際して上記ターンナット５を使用して、既設支柱１と新設支柱２に透孔を透設し、該透孔を介してターンナット５を既設支柱１の中空部内に設置し、新設支柱２からネジ６を該ターンナット５に対して螺入することによって、新設支柱２の高さ方向に、例えば上下２箇所乃至上中下の３箇所に該ネジ止めを行うようにしてある。
【００２６】
胴縁３の新設支柱２に対するネジ止めは、新設支柱２の上下に各胴縁３の裏面を対接し、その交点で胴縁３の表面透孔からのネジを、該裏面から新設支柱２に対して螺入することによって、これを行ってあり、また、上下の胴縁補助材３１に対する縦格子材４のネジ止めは、胴縁補助材３１の前面の起立壁を縦格子材４の裏面に宛がって、胴縁補助材３１の起立壁から各縦格子材４の上記ネジ受用の厚肉部又はリブに対してネジ６を螺入することによって、該胴縁補助材３１に所定間隔に多数平行に行ってある。
【００２７】
胴縁補助材３１に縦格子材４をネジ止めすることによって、これらが一体化した仕切体を形成するから、該仕切体を上記新設支柱２に固定するように、該胴縁補助材３１を、新設支柱２に架設配置した上記胴縁３にそのスライド条３２を用いて嵌合してスライド装着するようにして、その配置を行う一方、本例にあっては新設支柱２、胴縁３と胴縁補助材３１及び縦格子材４を断面中空乃至Ｃ字状のアルミ押出材を用いたものとしたことによって、これらの長手方向端部に中空部乃至開口が露出するから、これら新設支柱２、胴縁３及び縦格子材４の中空部に、それぞれ嵌合脚を嵌合したキャップ２６、３３、４１によって、新設支柱２、縦格子材４の各中空部を閉塞する一方、胴縁３の中空部と胴縁補助材３１の開口を同時に閉塞したものとしてあり、このとき上記既設支柱１の上方を該嵌合脚の高さ分切断除去してあるから、新設支柱２を既設支柱１と略同高としながら、嵌合脚の嵌合によるキャップ２６の配置を行うことができる。
【００２８】
このように形成した本例の改装フェンスＡは、短時間で簡易且つ確実に改装工事を完了できるとともに新設支柱２のターンナット５に対するネジ６を除いて、その余のネジ露出のない良好な外観の縦格子の格子面を有するフェンスとすることができる。
【００２９】
図６乃至図９において、改装フェンスＡは、横格子の格子面としたものとしてあり、該改装フェンスＡは、同じく、上記既設支柱１に被嵌固定した新設支柱２を、断面中空にして対向方向に向けた張出条２３を備えて上端にキャップ２６を装着した、同様に、アルミ押出材をアルミ製にして割型一方の各新設支柱２と、該新設支柱２の上記張出条２３からのネジ５によってネジ止めして該新設支柱２間に高さ方向所定間隔に架設した多数のアルミ製にして長手方向両端をキャップ４１閉塞した横格子材４と、上記新設支柱２にスライド又はスナップイン装着することによってその対向面をそれぞれ被覆したアルミ製にして割型他方の支柱カバー２４とを備えたものとしてある。
【００３０】
本例にあって新設支柱２は、既設支柱１の外形に略等しく矩形とし且つ高さを既設支柱１と略同高とした中空の断面形状のアルミ押出材によるものとしてあり、その中空部を既設支柱１の受入部位とするとともにその片側の側面に、上記と同様に一対の既設支柱対接リブ２１を配置する一方、中空部の前面を対向方向に延設するように張出条２３を張出突出したものとしてあり、このとき該新設支柱２は、その後面を同じく延設するように小突出した後面リブと上記張出条２３の左右端部の３箇所にスライド条乃至スナップイン条、本例にあってはスライド条２５を配置した割型一方のものとしてある。
【００３１】
該新設支柱２にネジ止めした横格子材４は、本例にあって、上記例における縦格子材と同一断面形状の幅広の中空板状をなすアルミ押出材によるものとし、該アルミ押出材の長さを変化することによって、縦横格子材４として共通使用するものとしてある。
【００３２】
支柱カバー２４は、断面Ｃ字状にして３箇所にスライド又はスナップイン装着、本例にあってスライド装着するスライド条２５を配置した割型他方のものとしてある。
【００３３】
新設支柱２は、上記例と同様に、既設支柱１に被嵌して、ネジ止め、本例にあっても上記ターンナット５を用いたネジ止めを行ってあり、該新設支柱に対しては、その張出条２３に横格子材４を対接し、該張出条２３の裏面から、横格子材４のネジ受用の厚肉部又はリブに対してネジ５を螺入することによって、該張出条２３に所定間隔に多数平行に、そのネジ止めを行ってある。
【００３４】
該横格子材４をネジ止めした新設支柱２は、その張出条２３を支柱カバー２４によって該新設支柱２の対向面を被覆してあり、該被覆は、張出条２３の上記３箇所のスライド条２５に、支柱カバー２４の各スライド条２５を嵌合してスライド装着することによって、これを行ってある。
【００３５】
本例にあっても新設支柱２及び横格子材４を中空のアルミ押出材を用いたものとしたことによって、これらの長手方向端部に中空部が露出するから、同様にこれら新設支柱２及び横格子材４の中空部に、それぞれ嵌合脚を嵌合して、キャップ２６、４１によって各中空部を閉塞したものとしてあり、同様に上記既設支柱１の上方を該嵌合脚の高さ分切断除去してあるから、新設支柱２を既設支柱１と略同高としながら、嵌合脚の嵌合によるキャップ２６の配置を行うことができる。
【００３６】
このように形成した本例の改装フェンスＡも、同様に、短時間で簡易且つ確実に改装工事を完了できるとともに新設支柱２のターンナット５に対するネジ６を除いて、その余のネジ露出のない良好な外観の横格子の格子面を有するフェンスとすることができる。
【００３７】
図示した例は以上のとおりとしたが、本発明の実施に当って、既設フェンス、既設支柱、新設支柱、胴縁、胴縁補助材、縦格子材、横格子材、支柱カバー、キャップ等の各具体的形状、構造、材質、これらの関係、これらに対する付加、改装工事の手順等は、上記発明の要旨に反しない限り様々な形態のものとすることができる。
【符号の説明】
【００３８】
Ａ  改装フェンス
Ｂ  既設フェンス
１  既設支柱
１１  仕切パネル
１２  キャップ
１３  補強芯
２  新設支柱
２１  既設支柱対接リブ
２２  対向突条
２３  張出条
２４  支柱カバー
２５  スライド条
２６  キャップ
３  胴縁
３１  胴縁補助材
３２  スライド条
３３  キャップ
４  縦格子材又は横格子材
４１  キャップ
５  ターンナット
６  ネジ
【図１】
0005498815.tif 000002
【図２】
0005498815.tif 000003
【図３】
0005498815.tif 000004
【図４】
0005498815.tif 000005
【図５】
0005498815.tif 000006
【図６】
0005498815.tif 000007
【図７】
0005498815.tif 000008
【図８】
0005498815.tif 000009
【図９】
0005498815.tif 000010